(57)【要約】【課題】  撮影者が被写体の大きさが所望のものであるか否かを容易に判断可能とした電子カメラ及びプログラムの提供【解決手段】  撮影対象とする被写体のサイズ及び比較条件を設定し（ステップＳ１）、合焦時に被写体の輪郭から実サイズを算出して（ステップＳ６〜Ｓ１０）、設定したサイズと算出した実サイズを比較し、設定したサイズと算出した実サイズが比較条件に合致する場合にはＬＥＤを緑色点灯し、合致しない場合にはＬＥＤを赤色点灯して撮影者にその旨を知らせる（ステップＳ１１）。【選択図】  図５
2006165940.tif 000002
【特許請求の範囲】
【請求項１】
被写体のサイズを比較条件として設定するサイズ情報設定手段と、
被写体を撮影して撮影画像を得る撮像手段と、
前記撮像手段により得られる撮影画像中の被写体のサイズを取得するサイズ取得手段と、
前記サイズ取得手段によって取得された被写体のサイズと前記サイズ情報設定手段によって設定されたサイズとを比較する比較手段と、
前記比較手段による比較結果に基づき、報知情報を出力する報知情報出力手段と、
を備えたことを特徴とする電子カメラ。
【請求項２】
前記サイズ取得手段は、
前記撮像手段により得られた撮影画像の画角を取得する画角取得手段と、
前記撮像手段により得られた撮影画像中の被写体と撮像装置との距離を取得する距離取得手段と、
前記距離取得手段によって取得された距離と前記画角取得手段によって取得された画角から被写体のサイズを算出するサイズ算出手段と
を含むことを特徴とする請求項１記載の電子カメラ。
【請求項３】
前記サイズ情報設定手段は、被写体のサイズ及び比較条件を設定し、前記比較手段は、前記サイズ取得手段によって取得された被写体のサイズと前記サイズ情報設定手段によって設定されたサイズとを前記設定された比較条件により比較することを特徴とする請求項１又は２記載の電子カメラ。
【請求項４】
前記報知情報出力手段は、前記サイズ取得手段によって取得された被写体のサイズが前記比較条件に合致していることを意味するときは第１の報知情報を出力し、比較条件に合致していないことを意味するときは第２の報知情報を出力することを特徴とする請求項３記載の電子カメラ。
【請求項５】
前記撮像手段により得られた撮影画像及び前記比較手段による比較結果に基づく情報を関連付けて記録メモリに記録する画像記録手段を備えたことを特徴とする請求項１乃至４の何れかに記載の電子カメラ。
【請求項６】
前記報知情報出力手段は、前記画像記録手段により記録メモリに記録された前記比較手段による比較結果に基づく情報に基づき、報知情報を出力することを特徴とする請求項５記載の電子カメラ。
【請求項７】
前記比較手段による比較結果に基づき、前記撮像手段により得られた撮影画像の記録メモリへの記録の有無を制御する画像記録手段を備えたことを特徴とする請求項１乃至４の何れかに記載の電子カメラ。
【請求項８】
更に、自動合焦を行わせるための合焦指示手段と、この合焦指示手段による合焦指示を検出する合焦指示検出手段と、この合焦指示検出手段によって合焦指示が検出されたとき、自動合焦を行う合焦処理手段とを備え、
前記サイズ取得手段による被写体のサイズの取得、比較手段によるサイズの比較、及び報知情報出力手段による報知情報の出力は、前記合焦処理手段による自動合焦時に実行されることを特徴とする請求項１乃至７の何れかに記載の電子カメラ。
【請求項９】
更に、撮影指示手段とこの撮影指示手段による撮影指示を検出する撮影指示検出手段を備え、
前記サイズ算出手段による被写体のサイズの取得、比較手段によるサイズの比較、及び報知情報出力手段による報知情報の出力は、前記撮影指示検出手段によって撮影指示が検出されたときに実行されることを特徴とする請求項１乃至７の何れかに記載の電子カメラ。
【請求項１０】
更に、前記撮像手段により得られた撮影画像から被写体の輪郭を抽出する輪郭抽出手段を備え、
前記サイズ算出手段は、前記距離取得手段によって取得された距離と前記画角取得手段によって取得された画角と前記輪郭抽出手段によって抽出された輪郭から被写体のサイズを算出する、ことを特徴とする請求項２に記載の電子カメラ。
【請求項１１】
更に、被写体の計測範囲を設定する計測範囲設定手段を備え、
前記サイズ算出手段は、前記距離取得手段によって取得された距離と前記画角取得手段によって取得された画角と前記計測範囲設定手段によって設定された被写体の計測範囲から被写体のサイズを算出する、ことを特徴とする請求項２に記載の電子カメラ。
【請求項１２】
前記報知情報出力手段はＬＥＤを含み、第１の報知情報はこのＬＥＤの点灯により行われ、第２の報知情報はこのＬＥＤの第１の報知情報出力の際とは異なる色の点灯により行われることを特徴とする請求項４に記載の電子カメラ。
【請求項１３】
被写体のサイズを比較条件として設定するサイズ情報設定手段と、
被写体を撮影して撮影画像を得る撮像手段と、
前記撮像手段により得られる撮影画像中の被写体のサイズを取得するサイズ取得手段と、
前記サイズ取得手段によって取得された被写体のサイズと前記サイズ情報設定手段によって設定されたサイズとを比較する比較手段と、
前記撮像手段により得られた撮影画像及び前記比較手段による比較結果に基づく情報を関連付けて記録メモリに記録する画像記録手段と、
を備えたことを特徴とする電子カメラ。
【請求項１４】
被写体のサイズを比較条件として設定するサイズ情報設定手段と、
被写体を撮影して撮影画像を得る撮像手段と、
前記撮像手段により得られる撮影画像中の被写体のサイズを取得するサイズ取得手段と、
前記サイズ取得手段によって取得された被写体のサイズと前記サイズ情報設定手段によって設定されたサイズとを比較する比較手段と、
前記比較手段による比較結果に基づき、前記撮像手段により得られた撮影画像の記録メモリへの記録の有無を制御する画像記録手段と、
を備えたことを特徴とする電子カメラ。
【請求項１５】
電子カメラのコンピュータに、
被写体のサイズを比較条件として設定する機能と、
被写体を撮影して撮影画像を得る機能と、
撮影画像中の被写体のサイズを取得する機能と、
前記取得された被写体のサイズと前記設定されたサイズとを比較する機能と、
前記比較による比較結果に基づき、報知情報を出力する機能と、
を実行させるプログラム。
【発明の詳細な説明】
【技術分野】
【０００１】
本発明はデジタルカメラ等の電子カメラにおける撮影時の被写体サイズの報知技術に関する。
【背景技術】
【０００２】
デジタルカメラ等の電子カメラでは画像を撮影し、撮影した画像を内蔵或いは装着された記憶媒体に記録している。  
被写体の大きさを知る方法として、撮影時にファインダ内にメジャーを表示する方法や、撮影時に被写体のサイズを計測しておき、撮影画像に関連付けてサイズを記録する電子スチルカメラが提案されている（例えば、特許文献１参照）。
【特許文献１】特開平０５−１５３４６８号公報
【発明の開示】
【発明が解決しようとする課題】
【０００３】
撮影者が撮影時に被写体の実際の大きさ（実寸）を見て、その被写体が撮影対象の被写体か否かを判断したい場合がある。しかしながら、上記特許文献１に開示の技術では被写体サイズを数値等で表示部に表示するだけなので、表示部に表示されている被写体サイズをユーザが目視して適切なサイズなのか否かを判断しなければならない。
また、記録した撮影画像を撮影後に再生し、同時に関連付けて記録した被写体サイズを数値等で表示して見る場合は、ユーザが撮影したい大きさの被写体でなくても一旦は撮影し、画像データとして記録媒体に記録してから再生して実寸を確認する必要があることから、結果として不要な画像を記録することとなり、記憶媒体の記憶容量を無駄に使うばかりでなくサイズ違いにより不要となった画像をその都度削除しなければならず、撮影者にとって不便であり手間になるといった課題があった。
【０００４】
また、ファインダ内にメジャーを表示する方法では、表示されるメジャーは目安程度にしかならないため、結局、撮影画像を記録してから再生して撮影者が所望の大きさの被写体かどうかを判断する必要があるので、上述した特許文献１の技術の場合と同様の課題があった。
【０００５】
本発明は、上記課題を解決するためになされたものであり、撮影者が被写体の大きさが所望のものであるか否かを容易に判断可能とした電子カメラ及びプログラムの提供を目的とする。
【課題を解決するための手段】
【０００６】
上記課題を解決するために、請求項１に記載の発明では、被写体のサイズを比較条件として設定するサイズ情報設定手段と、被写体を撮影して撮影画像を得る撮像手段と、撮像手段により得られる撮影画像中の被写体のサイズを取得するサイズ取得手段と、サイズ取得手段によって取得された被写体のサイズとサイズ情報設定手段によって設定されたサイズとを比較する比較手段と、比較手段による比較結果に基づき、報知情報を出力する報知情報出力手段と、を備えたことを特徴とする電子カメラを提供する。  
これにより、電子カメラは被写体が所望の大きさであるか否かを設定されたサイズと比較して比較結果を報知するので、撮影画像の記録後に画像を再生して判断する必要がない。
【０００７】
また、請求項２に記載の発明では、サイズ取得手段は、撮像手段により得られた撮影画像の画角を取得する画角取得手段と、撮像手段により得られた撮影画像中の被写体と撮像装置との距離を取得する距離取得手段と、距離取得手段によって取得された距離と画角取得手段によって取得された画角から被写体のサイズを算出するサイズ算出手段と、を含むことを特徴とする電子カメラを提供する。  
これにより、電子カメラは被写体の実サイズを画角と被写体との距離からサイズを算出して被写体が所望の大きさであるか否かの比較結果を報知できる。
【０００８】
また、請求項３に記載の発明では、サイズ情報設定手段は、被写体のサイズ及び比較条件を設定し、比較手段は、サイズ取得手段によって取得された被写体のサイズとサイズ情報設定手段によって設定されたサイズとを設定された比較条件により比較することを特徴とする請求項１又は２記載の電子カメラを提供する。  
これにより、事前に撮影対象としたい被写体のサイズと比較条件を設定できるので、撮影対象とする大きさの被写体を選択して撮影できる。
【０００９】
また、請求項４に記載の発明では、報知情報出力手段は、サイズ取得手段によって取得された被写体のサイズが比較条件に合致していることを意味するときは第１の報知情報を出力し、比較条件に合致していないことを意味するときは第２の報知情報を出力することを特徴とする請求項３記載の電子カメラを提供する。  
これにより、電子カメラは被写体が所望の大きさであるか否かを設定した比較条件に合致するか否かによって報知するので、撮影者は被写体の大きさが所望の範囲か否かを容易に知ることができる。
【００１０】
また、請求項５に記載の発明では、撮像手段により得られた撮影画像及び比較手段による比較結果に基づく情報を関連付けて記録メモリに記録する画像記録手段を備えたことを特徴とする請求項１乃至４の何れかに記載の電子カメラを提供する。  
これにより、不要な画像を記録してしまった場合であっても、記録した撮影画像を再生表示して画像データと関連付けて記録されている比較結果に基づく情報を表示するようにできることから、ユーザは被写体の大きさが所望のものであるか否かを容易に知ることができる。
【００１１】
また、請求項６に記載の発明では、報知情報出力手段は、画像記録手段により記録メモリに記録された比較手段による比較結果に基づく情報に基づき、報知情報を出力することを特徴とする請求項５記載の電子カメラを提供する。  
これにより、不要な画像を記録してしまった場合であっても、撮影画像を再生表示する際に画像データと関連付けて記録されている比較結果に基づく情報を出力できるので、ユーザは被写体の大きさが所望のものであるか否かを容易に知ることができ、画像の削除操作を容易なものとすることができる。
【００１２】
また、請求項７に記載の発明では、比較手段による比較結果に基づき、撮像手段により得られた撮影画像の記録メモリへの記録の有無を制御する画像記録手段を備えたことを特徴とする請求項１乃至４の何れかに記載の電子カメラを提供する。  
これにより、電子カメラは被写体が所望の大きさである場合だけ画像記録処理を実行するようにできるので、必要な画像だけを確実に記録できる。従って、記録媒体の記録領域を有効に利用できる。また、不要な画像を記録しないので撮影者は不要な画像を削除する手間がかからない。
【００１３】
また、請求項８に記載の発明では、更に、自動合焦を行わせるための合焦指示手段と、この合焦指示手段による合焦指示を検出する合焦指示検出手段と、この合焦指示検出手段によって合焦指示が検出されたとき、自動合焦を行う合焦処理手段とを備え、サイズ取得手段による被写体のサイズの取得、比較手段によるサイズの比較、及び報知情報出力手段による報知情報の出力は、合焦処理手段による自動合焦時に実行されることを特徴とする請求項１乃至７の何れかに記載の電子カメラを提供する。  
これにより、電子カメラは自動合焦時に被写体のサイズを算出するので、設定されたサイズとの比較が容易であり、撮影指示前に被写体が所望の大きさであるか否かを報知するので、撮影者は撮影指示を出す前に被写体の大きさが所望のものであるか否かを判断し、必要な画像だけを記録できることから不要な画像を記録するようなことがない。
【００１４】
また、請求項９に記載の発明では、更に、撮影指示手段とこの撮影指示手段による撮影指示を検出する撮影指示検出手段を備え、サイズ算出手段による被写体のサイズの取得、比較手段によるサイズの比較、及び報知情報出力手段による報知情報の出力は、撮影指示検出手段によって撮影指示が検出されたときに実行されることを特徴とする請求項１乃至７の何れかに記載の電子カメラを提供する。  
これにより、電子カメラは撮影指示後に被写体のサイズを算出するので、設定されたサイズと撮影画像の比較が容易であり、撮影画像の記録前に被写体が所望の大きさであるか否かを報知するので撮影指示後で且つ撮影画像の記録前に被写体の大きさが所望のものであるか否かを容易に知ることができ、且つ必要な画像だけを確実に記録できる。従って、記録媒体の記録領域を有効に利用できる。また、不要な画像を記録しないので撮影者は不要な画像を削除する手間がかからない。
【００１５】
また、請求項１０に記載の発明では、更に、撮像手段により得られた撮影画像から被写体の輪郭を抽出する輪郭抽出手段を備え、サイズ算出手段は、距離取得手段によって取得された距離と画角取得手段によって取得された画角と輪郭抽出手段によって抽出された輪郭から被写体のサイズを算出する、ことを特徴とする請求項２に記載の電子カメラを提供する。  
これにより、被写体を指定しなくても実サイズを知りたい被写体が画角一杯になるようにすれば画角内の被写体の輪郭を抽出して実サイズを算出できる。
【００１６】
また、請求項１１に記載の発明では、更に、被写体の計測範囲を設定する計測範囲設定手段を備え、サイズ算出手段は、距離取得手段によって取得された距離と画角取得手段によって取得された画角と計測範囲設定手段によって設定された被写体の計測範囲から被写体のサイズを算出する、ことを特徴とする請求項２に記載の電子カメラを提供する。  
これにより、実サイズを知りたい被写体の範囲を指定してそのサイズを被写体の実サイズとすることができるので、輪郭抽出を行うための複雑な手段（例えば、輪郭抽出部）を要しない。
【００１７】
また、請求項１２に記載の発明では、報知情報出力手段はＬＥＤを含み、第１の報知情報はこのＬＥＤの点灯により行われ、第２の報知情報はこのＬＥＤの第１の報知情報出力の際とは異なる色の点灯によって行われることを特徴とする請求項４に記載の電子カメラを提供する。  
これにより、ＬＥＤの点灯色で所望のサイズか否かが一目でわかる。
【００１８】
また、請求項１３に記載の発明では、被写体のサイズを比較条件として設定するサイズ情報設定手段と、被写体を撮影して撮影画像を得る撮像手段と、撮像手段により得られる撮影画像中の被写体のサイズを取得するサイズ取得手段と、サイズ取得手段によって取得された被写体のサイズとサイズ情報設定手段によって設定されたサイズとを比較する比較手段と、撮像手段により得られた撮影画像及び比較手段による比較結果に基づく情報を関連付けて記録メモリに記録する画像記録手段と、を備えたことを特徴とする電子カメラを提供する。  
これにより、不要な画像を記録してしまった場合であっても、記録した撮影画像を再生表示して画像データと関連付けて記録されている比較結果に基づく情報を表示するようにできることから、ユーザは被写体の大きさが所望のものであるか否かを容易に知ることができる。
【００１９】
また、請求項１４に記載の発明では、被写体のサイズを比較条件として設定するサイズ情報設定手段と、被写体を撮影して撮影画像を得る撮像手段と、撮像手段により得られる撮影画像中の被写体のサイズを取得するサイズ取得手段と、サイズ取得手段によって取得された被写体のサイズとサイズ情報設定手段によって設定されたサイズとを比較する比較手段と、比較手段による比較結果に基づき、撮像手段により得られた撮影画像の記録メモリへの記録の有無を制御する画像記録手段と、を備えたことを特徴とする電子カメラを提供する。  
これにより、電子カメラは被写体が所望の大きさである場合だけ画像記録処理を実行するようにできるので、必要な画像だけを確実に記録できる。従って、記録媒体の記録領域を有効に利用できる。また、不要な画像を記録しないので撮影者は不要な画像を削除する手間がかからない。
【００２０】
また、請求項１５に記載の発明では、電子カメラのコンピュータに、被写体のサイズを比較条件として設定する機能と、被写体を撮影して撮影画像を得る機能と、撮影画像中の被写体のサイズを取得する機能と、取得された被写体のサイズと設定されたサイズとを比較する機能と、比較による比較結果に基づき、報知情報を出力する機能と、を実行させるプログラムを実行させるプログラムを提供する。  
これにより、電子カメラは設定された測定範囲の被写体サイズを算出して設定されたサイズと共に表示して被写体が所望の大きさであるか否かの報知情報を出力することができる。
【発明の効果】
【００２１】
本発明によれば、電子カメラは、合焦時（若しくは撮影画像の記録又は再生時）に被写体サイズを算出して被写体が所望の大きさであるか否かを報知するので、撮影者が被写体の大きさが所望のものであるか否かを容易に知ることができ、必要な画像だけを記録することができる。従って、電子カメラは記憶媒体に不要な画像を記録するようなことがないので記録媒体の記録領域を有効に利用できる。また、撮影者は不要な画像を削除する手間がかからない。
【発明を実施するための最良の形態】
【００２２】
本発明に係る電子カメラの一例としてのデジタルカメラの一実施例の外観を示す図であり、図１（ａ）は正面図、図１（ｂ）は背面図、図１（ｃ）は上面図である。  
図１で、デジタルカメラ１は図１（ａ）に示すように正面側に撮像レンズ２を有している。また、デジタルカメラ１の背面には図１（ｂ）に示すように、モードダイアル３、液晶モニタ画面４、カーソルキー５、ＳＥＴキー６、及びＬＥＤ３１が設けられている。また、上面には図１（ｃ）に示すようにズームレバー７、シャッターキー８及び電源ボタン９が設けられ、図示しないが側部にはパーソナルコンピュータ（以下、パソコン）やモデム等の外部装置とＵＳＢケーブルに接続する場合に用いるＵＳＢ端子接続部が設けられている。
【００２３】
図２は、図１に示したデジタルカメラの電子回路構成の一実施例を示す図である。なお、実施形態２では輪郭抽出部３２は備えていなくてもよい。  
【００２４】
図２で、デジタルカメラ１は、基本モードである撮影モードにおいて合焦位置や絞り位置を移動させるモータ１１、撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、保存メモリ２８、キー入力部３０、ＬＥＤ３１、及び輪郭抽出部３２を備えている。
【００２５】
撮影モードでのモニタリング状態においては、モータ（Ｍ）１１の駆動により合焦位置や絞り位置が移動され、上記撮影レンズ１を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。  
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２６】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。
【００２７】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いて一度ＤＲＡＭインターフェイス（Ｉ／Ｆ）２０を介してバッファメモリとして使用されるＤＲＡＭ２１にＤＭＡ転送する。
【００２８】
制御部２２は、このデジタルカメラ１全体の制御動作を司るものであり、ＣＰＵ若しくはＭＰＵ（以下、ＣＰＵ）と、後述するように撮影モード時の被写体サイズ報知処理を含む該ＣＰＵで実行される動作プログラムを固定的に記憶したフラッシュメモリ等のプログラム格納メモリ、及びワークメモリとして使用されるＲＡＭ等により構成され、上記輝度及び色差信号のＤＲＡＭ２１へのＤＭＡ転送終了後に、この輝度及び色差信号をＤＲＡＭインターフェイス２０を介してＤＲＡＭ２１から読出し、ＶＲＡＭコントローラ２３を介してＶＲＡＭ２４に書込む。
【００２９】
また、制御部２２は、撮影モードで被写体サイズ報知の実行制御を行う。例えば、被写体サイズを算出して撮影者が設定したサイズ値と比較し、この結果をＬＥＤ等の出力手段に出力して報知する。
【００３０】
制御部２２は、また、キー入力部３０からの状態信号に対応してフラッシュメモリ等のプログラム格納用メモリに格納されている各モードに対応の処理プログラムやメニューデータを取り出して、デジタルカメラ１の他の各機能の実行制御、例えば、撮像や記録画像の再生機能の実行等を行なう他、機能選択時の機能選択メニューの表示制御等を行う。  
【００３１】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００３２】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ画面４に表示することになる。  
このように表示部２６にその時点での画像がモニタ画像としてリアルタイムに表示されているいわゆるスルー画像の表示状態でキー入力部３０を構成するシャッターキー８（図１）を半押し操作すると第１のトリガ信号（合焦指示信号）を発生し、シャッターキー８を全押し操作すると第２のトリガ信号（撮影指示信号）を発生する。
【００３３】
制御部２２は第１のトリガ信号に応じてモーター１１に駆動制御信号を送ってレンズ光学系１２の撮像レンズを移動させて合焦（ＡＦ）動作を行わせ、第２のトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３４】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。  
そして得た符号データをＪＰＥＧ回路２７から読出し、１画像のデータファイルとしてデジタルカメラ１の記録媒体である内蔵メモリ或いは着脱自在に装着されるメモリーカード等の保存メモリ２８に記録する。  
そして１フレーム分の輝度及び色差信号の圧縮処理及び保存メモリ２８への全圧縮データの書込み終了に伴って、制御部２２はＣＣＤ１３からＤＲＡＭ２１への経路を再び起動する。                         
【００３５】
また、基本モードである再生モード時には、制御部２２が保存メモリ２８に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力（＝表示）させる。
【００３６】
キー入力部３０は、上述したモードダイアル３、カーソルキー５、ＳＥＴキー６、ズームレバー７、シャッターキー８、電源ボタン９等から構成され、それらのキー操作に伴う信号は直接制御部２２に送出される。  
【００３７】
モードダイヤル３は各種モードを選択する際に操作するダイヤルキーである。なお、モードの選択をメニュー選択により行うようにしてもよい。  
カーソルキー５は液晶モニタ画面４に表示されたメニューやアイコン若しくは数値や文字の表示窓（図３参照）をカーソルでポイント（指定）する際に操作するキーであり、カーソルキー５の操作によりカーソルを上下又は左右に移動させることができる。また、ＳＥＴキー６はカーソルキー５による操作結果を確認する際に押すキーである。後述する図３の設定画面４０カーソルキー５及びセットキー６の操作により撮影者は撮影対象として所望する被写体像のサイズ等の条件を設定することができる。  
【００３８】
ズームレバー７は、ズーム操作に用いられ、デジタルズームの場合はズームレバー７の操作に対応してズーム値が決定されるが、実際の画角は変化せず、液晶モニタ画面５にはズーム値に応じたサイズの画像がトリミングされて表示される。また、光学ズームの場合はズームレバー７の操作に対応してズームレンズ（可変焦点距離レンズ）がワイド側又はテレ側に移動され、ズームレバー７の操作に対応してズーム値が決定され、ズーム値の変化に追従して画角が実際に変化し、液晶モニタ画面には広角画像又は望遠画像が表示される。
【００３９】
シャッターキー８は、スルー画像表示時に半押し操作すると前述したように第１のトリガ信号（合焦指示信号）を発生し、全押し操作すると第２のトリガ信号（撮影指示信号）を発生する。また、ＬＥＤが赤色点灯したときに半押し操作すると第３のトリガ信号（記録禁止信号）を発生する。なお、後述するように、ＬＥＤが赤色点灯したときに全押し操作すると記録許可信号を発生するようにしてもよい。
【００４０】
ＬＥＤ３１はデジタルカメラ１の状態を点灯色や点灯の有無で撮影者に報知する手段であり、スルー表示されている被写体像が撮影者の設定した条件を満たしているときは緑色に点灯され、条件を満たしていないときは赤色に点灯される。なお、ＬＥＤ３１に代えて被写体像が設定条件を満たしているかいないかを音声出力（例えば、「条件に一致しています」、「条件に一致していません」）する音声出力装置を設けてもよいし、ＬＥＤ３１や音声出力装置を設けずに、液晶モニタ画面４に被写体像が設定条件を満たしているかいないかをメッセージ表示するようにしてもよい。
【００４１】
輪郭抽出部３２は撮影時に被写体像の輪郭を抽出する。輪郭抽出は公知の方法によることができる。
【００４２】
（実施形態１）  
本実施形態ではデジタルカメラ１は合焦時に被写体の輪郭を抽出して被写体のサイズを算出して設定されたサイズと比較し、比較結果をＬＥＤの点灯により報知する。以下、図１〜図５を基に説明する。
【００４３】
図３は被写体サイズ等の条件設定画面の一実施例を示す図であり、設定画面４０はモードダイアル３等のモード選択手段で撮影モードを選択し、更に、被写体サイズ報知モードを選択すると条件設定画面４０（図３参照）が液晶モニタ画面４に表示される。
【００４４】
図３で符号４１は横サイズの比較条件選択欄であり、比較条件選択欄４１をカーソルキー５でポイントすると比較条件（以上（≧）、以下（≦）、ほぼ等しい（≒））が順次表示されるので、所望の比較条件が表示されたとき、カーソルキー５の操作を中止し、ＳＥＴキー６を押すと表示されている条件が横サイズの比較条件として選択される。  
また、符号４２は横方向のサイズを設定する横サイズ選択欄であり、カーソルキー５の操作により三角形のアイコン４２−２をカーソルでポイントすると、サイズ（数値）が表示窓４２−１に順次表示されるので所望のサイズが表示されたとき、カーソルキー５の操作を中止し、ＳＥＴキー６を押すと表示されているサイズが横サイズとして選択される。なお、比較条件選択欄４１をポイントしなかった場合（比較条件選択欄４１が空白のままの場合）は横サイズの選択はできない。つまり、カーソルがアイコン４２−２に移動しない。
【００４５】
符号４３は縦サイズの比較条件選択欄、符号４４は縦方向のサイズを設定する縦サイズ選択欄であり、選択の方法は上述した横サイズの選択方法と同様である。
【００４６】
また、符号４５は設定欄であり、カーソルキー５の操作により設定欄４５をカーソルでポイントしてＳＥＴキー６を押すと上述の選択された比較条件及びサイズが設定される。
【００４７】
縦横のサイズを設定する場合には上記横サイズの比較条件選択欄４１及び横サイズ選択欄４２と縦サイズの比較条件選択欄４３及び縦サイズ選択欄４４を用いて比較条件及びサイズの選択を行い、設定操作を行えばよいし、横サイズだけを設定する場合には上記横サイズの比較条件選択欄４１及び横サイズ選択欄４２だけを用いて選択を行い、設定操作を行えばよく、縦サイズだけを設定する場合には上記縦サイズの比較条件選択欄４３及び横サイズ選択欄４４だけを用いて選択を行い、設定操作を行えばよい。  
図示の例は横サイズのみを設定する例であり、横サイズの比較条件選択欄４１で比較条件「≧」がサイズ選択欄４２でサイズ「２．５m」が選択され、カーソルが設定欄４５に位置付けられている。  
【００４８】
図４は輪郭抽出された被写体像の説明図であり、符号５０は撮影画像、符号５１は抽出された被写体の輪郭（以下、輪郭５１）を示し、符号ｐｘは輪郭５１の横方向の最大画素数、ｐｙは輪郭５１の縦方向の最大画素数を示す。
【００４９】
図５は、被写体サイズ報知モードにおける撮影時のデジタルカメラ１の動作概要を示すフローチャートであり、このフローチャートは本願発明の被写体サイズの報知機能を備えたデジタルカメラ１に各機能を実現させるためのプログラムを説明するためのものである。  
以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。  
なお、撮影モード開始時に液晶モニタ画面４にモード選択ダイアル３で撮影モードを選択した際にメニュー表示される詳細モード選択（或いは詳細モード設定）メニューのうち被写体サイズ報知モードが選択（設定）されているものとする。以下、図１〜図４に基いて説明する。
【００５０】
被写体サイズ報知モードにおいて、制御部２２は被写体サイズ等の設定画面４０（図３）を液晶モニタ画面４に表示して条件等の選択・設定を促すので、撮影者はカーソルキー５等の条件設定手段を操作して比較条件及び被写体サイズ（この例では横サイズ及び縦サイズ）を選択する。設定があると制御部２２は設定条件及び設定されたサイズ値をＤＲＡＭ２１等のメモリの所定領域に保持（一時記憶）する。なお、図示していないが設定しない場合（図３で符号４６の示す「設定しない」をポイントした場合）は通常撮影モードに移行する（ステップＳ１）。
【００５１】
サイズ等が設定されると、制御部２２はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上でＶＲＡＭ２４をＣＣＤ１３からの画像データを間引いたビデオスルー画像データで書き換えて表示部２６にスルー画像を表示する（ステップＳ２）。
【００５２】
また、ユーザは、スルー表示されている被写体についてズームを要する場合は、ズームレバー７を広角側又はテレ側に操作するので、制御部２２はキー入力部３０からの信号を調べ、ズームレバー７が操作された場合はステップＳ４に進み、操作されない場合はステップＳ５に進む（ステップＳ３）。
【００５３】
ズームキー７が操作された場合は、制御部２２はキー入力部３０から受け取った信号を基にズームレバー７の移動量に応じたズーム値Ｒを算出或いは取得し、そのズーム値に対応するように取り込んだ画像の拡大／縮小処理を行って１フレーム分トリミングし、トリミング後の画像データを基にスルー画像データを生成し、ＶＲＡＭコントローラ２３を介してデジタルビデオエンコーダ２５に与えビデオ信号を生成させて表示部２６に出力させ、液晶モニタ画面にスルー表示させる（ステップＳ４）。
【００５４】
制御部２２はキー入力部３０からの信号を調べ、シャッターキー８が半押しされた場合はズームキー７をロックしてステップＳ６に進み、押されていない場合はステップＳ２に戻る（ステップＳ５）。
【００５５】
シャッターキー８が半押しされると、制御部２２は所定のフォーカスエリアにピントが合うように合焦（ＡＦ）処理を行い、合焦処理が終わると合焦位置をロックし、撮影レンズの移動距離（レンズ位置）を基にデジタルカメラ１と被写体との距離Ｌを算出する（ステップＳ６）。
【００５６】
次に、制御部２２は、撮像による画像データ（ステップＳ４でトリミングされた場合はその画像データ）を基に、被写体の撮影範囲の縦サイズＢｙと横サイズＡｘをステップＳ６で算出した被写体とカメラの距離Ｌと、上記ステップＳ４で取得したズーム値Ｒに基づく画角から算出する。被写体の撮影範囲の縦サイズＢｙと横サイズＡｘの算出方法は公知の方法でよい（ステップＳ７）。
【００５７】
また、制御部２２は輪郭抽出部３２にＤＲＡＭ２１に記憶されている画像データを送って被写体の輪郭５１（図４）を抽出させて被写体の縦横の最大画素数ｐｙ、ｐｘを取得し（ステップＳ８）、抽出された輪郭５１の縦横の寸法（サイズ）Ｂ’ｙ、Ａ’ｘを算出する。抽出後の輪郭５１の縦横の寸法Ｂ’ｙ、Ａ’ｘは、例えば、デジタルカメラ１の撮像素子（ＣＣＤ１３）の縦横の最大画素数（ステップＳ４でトリミング（デジタルズーム）された場合はトリミング画像の縦横の最大画素数）をＰｙｍａｘ、Ｐｘｍａｘとしたとき、縦サイズＢ’ｙ＝（Ｂｙ×ｐｙ）／Ｐｙｍａｘ、横サイズＡ’ｘ＝（Ａｘ×ｐｘ）／Ｐｘｍａｘとして算出することができる（ステップＳ９）。
【００５８】
制御部２２は、上記ステップＳ１で設定したサイズ値とステップＳ９で算出したサイズ値をＶＲＡＭコントローラ２３を介してデジタルビデオエンコーダ２５に与えビデオ信号を生成させて表示部２６に出力させ、「設定値＝・・・」、「計測値＝・・・」といったように液晶モニタ画面５に表示されているスルー画像上に重畳表示させる（ステップＳ１０）。
【００５９】
次に、制御部２２は上記ステップＳ９で取得した被写体像の縦横のサイズと上記ステップＳ１で保持した縦横のサイズ値とを上記ステップＳ１で設定した比較条件により比較し、比較条件に合致している場合にはＬＥＤ３１を緑色点灯させてステップＳ１２に進み、合致していない場合はＬＥＤ３１を赤色点灯させてステップＳ１２に進む。例えば、取得したサイズが縦１２．１m、横８．６mであり、設定したサイズ値が縦１２．０m、横８．４mであって比較条件がいずれも「以上（≧）」の場合は所得した縦横のサイズは設定した縦横のサイズ以上であるから、ＬＥＤ３１を緑色点灯させてステップＳ１２に進む（ステップＳ１１）。
【００６０】
ＬＥＤ３１が点灯している場合、制御部２２はシャッターキー８を全押し可能とし、シャッターキー８が全押し操作されたか否かを調べ、シャッターキー８が全押しされた場合はステップＳ１３に進む（ステップＳ１２）。
【００６１】
シャッターキー８が全押しされた場合は、その時点で撮影処理を実行して画像データを取得し、取得した画像データに画像圧縮処理を施すか、あるいは、その時点でＤＲＡＭ２１に取り込まれていた画像データに画像圧縮処理を施した後、この圧縮画像データ（画像ファイル）を記録すると共にサイズデータ及び比較条件に合致しているか否かを示す情報（以下、条件合致判定結果情報）をこの圧縮画像データ関連付けて保存メモリ２８に記録して１枚分の画像データの撮影を終了する。なお、この際、この圧縮画像データに比較条件及びサイズ値を関連付けて保存メモリ２８に記録するようにしてもよい（ステップＳ１３）。
【００６２】
上記図５のフローチャートに示す動作により、デジタルカメラ１は合焦時に被写体サイズを算出して静止画及び設定されたサイズと被写体の実際のサイズを表示し、被写体が所望の大きさであるか否かをＬＥＤを点灯して報知するので、撮影者は撮影指示を出す前に被写体の大きさが所望のものであるか否かを容易に知ることができることから、必要な画像だけを記録でき、不要な画像を記録するようなことがない。従って、デジタルカメラ１は記録媒体の記録領域を有効に利用できる。更に、撮影者は不要な画像を削除する手間がかからない。
【００６３】
また、不要な画像を記録してしまった場合であっても、例えば、図１０のフローチャートに示すように、記録した撮影画像を再生表示する際に、画像データと関連付けて記録されている条件合致判定結果情報を合わせて表示させることにより、ユーザは被写体の大きさが所望のものであるか否かを容易に知ることができるので、画像の削除操作を容易なものとすることができる。
【００６４】
また、事前に撮影対象とする被写体の大きさを設定できるので、被写体に直接メジャーをあてたり直接触れたりしなくても離れた位置からカメラで被写体の大きさを判断できることから、撮影者は撮影対象とする大きさの被写体を選択して撮影できる。
【００６５】
＜変形例＞  
上記図５のフローチャートに示す動作では、デジタルカメラ１は合焦時に被写体が所望の大きさであるか否かをＬＥＤを点灯して報知する例を示したが、シャッターキー８の全押し後、つまり、撮影指示後に被写体が所望の大きさであるか否かを報知するようにしてもよい。以下、撮影指示後に被写体サイズを算出して被写体が所望の大きさであるか否かを報知する例について説明する。
【００６６】
図６は、被写体サイズ報知モードにおける撮影時のデジタルカメラ１の動作の一実施例を示すフローチャートであり、ステップＴ１〜ステップＴ６までの動作は図５に示したフローチャートのステップＳ１〜Ｓ６と同様である。  
図６で、ステップＴ１〜Ｔ５において、比較条件及びサイズ値の設定、スルー画像の表示、ズーム操作の有無判定及びズーム値取得、シャッターキー８の半押しの検知等の動作後、ステップＴ６での合焦動作及び被写体との距離の算出が終わると、制御部２２は、シャッターキー８が全押し操作されたか否かを調べ、シャッターキー８が全押しされた場合はステップＴ８に進む（ステップＴ７）。
【００６７】
シャッターキー８が全押しされた場合は、制御部２２は、その時点で本撮影処理を実行して画像データを取得してＤＲＡＭ２１に記憶し（ステップＴ８）、ＤＲＡＭ２１に記憶された画像データ（ステップＴ４でトリミングされた場合はその対応部分の画像データ）を基に、被写体の撮影範囲の縦サイズＢｙと横サイズＡｘをステップＴ６で算出した被写体とカメラの距離Ｌと、上記ステップＴ４で取得したズーム値Ｒに基づく画角から算出する。被写体の撮影範囲の縦サイズＢｙと横サイズＡｘの算出方法は公知の方法でよい（ステップＴ９）。
【００６８】
また、制御部２２は輪郭抽出部３２にＤＲＡＭ２１に記憶されている画像データを送って被写体の輪郭５１（図４）を抽出させて被写体の縦横の最大画素数ｐｙ、ｐｘを取得し（ステップＴ１０）、抽出された輪郭５１の縦横の寸法（サイズ）Ｂ’ｙ、Ａ’ｘを算出する。抽出後の輪郭５１の縦横の寸法Ｂ’ｙ、Ａ’ｘは、デジタルカメラ１の撮像素子（ＣＣＤ１３）の縦横の最大画素数（ステップＴ４でトリミング（デジタルズーム）された場合はトリミング画像の縦横の最大画素数）をＰｙｍａｘ、Ｐｘｍａｘとしたとき、縦サイズＢ’ｙ＝（Ｂｙ×ｐｙ）／Ｐｙｍａｘ、横サイズＡ’ｘ＝（Ａｘ×ｐｘ）／Ｐｘｍａｘとして算出することができる（ステップＴ１１）。
【００６９】
制御部２２は、シャッターキー８の全押しによりＤＲＡＭ２１に記憶されている画像データをＶＲＡＭ２４に転送して展開し、ＶＲＡＭコントローラ２３を介してデジタルビデオエンコーダ２５に送り表示部２６に静止画表示させると共に、上記ステップＴ１で設定したサイズ値とステップＴ１１で算出したサイズ値をＶＲＡＭコントローラ２３を介してデジタルビデオエンコーダ２５に与えビデオ信号を生成させて表示部２６に出力させ、「設定値＝・・・」、「計測値＝・・・」といったように液晶モニタ画面５に表示されている静止画像上に重畳表示させる（ステップＴ１２）。
【００７０】
制御部２２は上記ステップＴ１１で取得した被写体像の縦横のサイズと上記ステップＴ１で保持した縦横のサイズ値とを上記ステップＴ１で設定した比較条件により比較し、比較条件に合致している場合にはＬＥＤ３１を緑色点灯させてステップＴ１４に進み、合致していない場合はＬＥＤ３１を赤色点灯させてステップＴ１５に進む（ステップＴ１３）。
【００７１】
ＬＥＤ３１が緑色点灯された場合は、図５のステップＳ１３と同様の動作でステップＴ８の撮影処理により得られた画像データを保存メモリ２８に記録して１枚分の画像データの撮影を終了する。なお、この際、この圧縮画像データに比較条件及びサイズ値を関連付けて保存メモリ２８に記録するようにしてもよい（ステップＴ１４）。
【００７２】
また、ＬＥＤ３１が赤色点灯している場合にシャッターキー８が半押しされた場合は図５のステップＳ１４と同様の動作で合焦位置のロックを解除してステップＴ２に戻り、所定時間経過してもシャッターキー８が半押しされない場合には撮影処理を終了する（ステップＴ１５）。
【００７３】
上記図６のフローチャートに示す動作により、デジタルカメラ１は撮影指示後に本撮影処理により得られた画像データを用いて被写体サイズを算出して静止画及び設定されたサイズと被写体の実際のサイズを表示し、被写体が所望の大きさであるか否かをＬＥＤを点灯して報知するとともに被写体が所望の大きさである場合だけ画像記録処理を実行するので、デジタルカメラ１は撮影指示後で且つ撮影画像の記録前に被写体の大きさが所望のものであるか否かを容易に知ることができ、且つ必要な画像だけを確実に記録できる。従って、デジタルカメラ１は記録媒体の記録領域を有効に利用できる。また、不要な画像を記録しないので撮影者は不要な画像を削除する手間がかからない。
【００７４】
なお、本実施形態１（及び変形例）の説明では、図５のフローチャートのステップＳ７〜Ｓ９（図６のフローチャートのステップＴ９〜Ｔ１１）に示すように、被写体の縦横の撮影範囲のサイズ算出、被写体の輪郭の抽出及び縦横の最大画素数の取得、及び縦横の撮影範囲のサイズ及び縦横の最大画素数を元にした被写体の縦横のサイズの算出という３工程により被写体のサイズを取得したが、被写体サイズの取得方法は上記の例に限定されない。被写体像の横サイズＡｘの算出方法として、公知の方法、例えば、前述した特許文献１に開示の技術のように被写体像のエッジを検出してから、その被写体像の２点間のサイズと、被写体とカメラの距離Ｌ及びズーム値Ｒに基づいて被写体像の横サイズを算出することもできる。
【００７５】
（実施形態２）  
上記実施形態１では被写体の撮影範囲のサイズを被写体とカメラの距離Ｌ、ズーム値Ｒに基づく画角から取得するようにしたが（図５のステップＳ７、図６のステップＴ９参照）、撮影時に被写体の計測範囲を撮影者が指定できるようにしてもよい。本実施形態２では、デジタルカメラ１は輪郭抽出部３２を備えず、撮影者の指定により被写体のサイズ（寸法）及び計測範囲を設定し、撮影時に計測範囲の被写体サイズを取得して設定されたサイズと比較し、比較結果を報知する。以下、図１〜図３、図７、及び図８を基に説明する。
【００７６】
図７は計測範囲指定の説明図であり、符号７１はカーソルの始点であり、ＳＥＴキー６の操作により確定され色（例えば青色）表示される。符号７２はカーソルキー５の操作により移動中のカーソルであり、符号７３はＳＥＴキー６の操作により確定された終点であり、始点とは異なる色（例えば緑）で表示される。
【００７７】
後述する図８のステップＵ１で被写体サイズが設定されると、スルー画像上にカーソルが表示されるので、撮影者がカーソルキー５を操作して操作表示画面上の領域中で計測範囲としたい部分の左上隅にカーソルを位置付けてＳＥＴキー６を操作すると図８（ａ）に示すように始点７１が色表示される。  
次に、図７（ｂ）に示すように、カーソルを右下に移動させ、計測範囲としたい部分の右下隅でＳＥＴキー６を操作すると図７（ｃ）に示すように終点７３が緑色表示され、始点７１と終点７３間を結ぶ線分を対角線とする矩形７４が計測範囲として設定される。
【００７８】
また、図７（ｄ）に示すように、カーソルを右に水平移動させた後でＳＥＴキー６を操作すると図７（ｅ）に示すように終点７３が緑色表示され、始点７１と終点７３間を結ぶ線分を横幅とする上下の部分７５が計測範囲として設定される。  
また、図示しないが、縦幅のみを指定する場合はカーソルを下方垂直移動させた後でＳＥＴキー６を操作すると始点７１と終点間を結ぶ線分を縦幅左右の部分が計測範囲として設定される。
【００７９】
図８は被写体サイズ報知モードにおける撮影時のデジタルカメラ１の動作概要を示すフローチャートであり、このフローチャートは本願発明の被写体サイズの報知機能を備えたデジタルカメラ１に各機能を実現させるためのプログラムを説明するためのものである。  以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。  
なお、撮影モード開始時に液晶モニタ画面４にメニュー表示されるモード選択（或いはモード設定）で被写体サイズ報知モードが選択（設定）されているものとする。以下、図１〜図８に基づいて説明する。
【００８０】
被写体サイズ報知モードにおいて、図５のステップＳ１と同様にして、撮影者は設定画面４０（図３）でニタ画面４に表示される比較条件及び被写体サイズ（この例では横サイズ及び縦サイズ）を選択し、制御部２２は設定条件及び設定されたサイズ値をＤＲＡＭ２１等のメモリの所定領域に保持（一時記憶）する（ステップＵ１）。
【００８１】
サイズ等が設定されると、制御部２２はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上でＶＲＡＭ２４をＣＣＤ１３からの画像データを間引いたビデオスルー画像データで書き換えて表示部２６にスルー画像を表示する（ステップＵ２）。
【００８２】
次に、制御部２２は計測範囲指定用のカーソルをスルー画像が表示されている画面上に表示して撮影者に計測範囲指定又は計測範囲を更新するための再指定（計測範囲設定後、対象とする被写体を替えたりや視野をずらしたような場合に行う）を促し、キー入力部３０からの信号を調べカーソルキー５による指定操作があるとステップＵ４に進み、指定操作がない場合には画面サイズを計測範囲としてステップＵ５に進む（ステップＵ３）。
【００８３】
指定操作があると、制御部２２は始点７１及び終点７３の画面上の位置から計測範囲の座標を算出し、算出した座標値を計測範囲設定値としてＤＲＡＭ２１等のメモリの所定領域に保持（一時記憶）すると共に始点７１及び終点７３を色表示して計測範囲が撮影者に分かるようにする（ステップＵ４）。
【００８４】
また、ユーザは、スルー表示されている被写体についてズームを要する場合は、ズームレバー７を広角側又はテレ側に操作するので、制御部２２はキー入力部３０からの信号を調べ、ズームレバー７が操作された場合はステップＵ６に進み、操作されない場合はステップＵ７に進む（ステップＵ５）。
【００８５】
ズームキー７が操作された場合は、制御部２２はキー入力部３０から受け取った信号を基にズームレバー７の移動量に応じたズーム値Ｒを算出或いは取得し、そのズーム値に対応するように取り込んだ画像の拡大／縮小処理を行って１フレーム分トリミングし、トリミング後の画像データを基にスルー画像データを生成し、ＶＲＡＭコントローラ２３を介してデジタルビデオエンコーダ２５に与えビデオ信号を生成させて表示部２６に出力させ、液晶モニタ画面にスルー表示させる（ステップＵ６）。
【００８６】
制御部２２はキー入力部３０からの信号を調べ、シャッターキー８が半押しされた場合はズームキー７をロックしてステップＵ８に進み、押されていない場合はステップＵ２に戻る（ステップＵ７）。
【００８７】
シャッターキー８が半押しされると、制御部２２は所定のフォーカスエリアにピントが合うように合焦（ＡＦ）処理を行い、合焦処理が終わると合焦位置をロックし、撮影レンズの移動距離（レンズ位置）を基にデジタルカメラ１と被写体との距離Ｌを算出する（ステップＵ８）。
【００８８】
次に、制御部２２は、撮像による画像データ（ステップＵ６でトリミングされた場合はその画像データ）を基に、被写体の撮影範囲の縦サイズＢｙと横サイズＡｘをステップＵ８で算出した被写体とカメラの距離Ｌと、上記ステップＵ６で取得したズーム値Ｒに基づく画角から算出する。被写体の撮影範囲の縦サイズＢｙと横サイズＡｘの算出方法は公知の方法でよい（ステップＵ９）。
【００８９】
また、制御部２２は上記ステップＵ４で指定した計測範囲（計測範囲を指定しなかった場合は計測範囲＝画面サイズ）の縦横のサイズを基に計測範囲の最大画素数ｐｙ、ｐｘを取得し（ステップＵ１０）、計測範囲の縦横の寸法（サイズ）Ｂ’ｙ、Ａ’ｘを算出する。計測範囲の縦横の寸法Ｂ’ｙ、Ａ’ｘは、デジタルカメラ１の撮像素子（ＣＣＤ１３）の縦横の最大画素数（ステップＵ６でトリミング（デジタルズーム）された場合はトリミング画像の縦横の最大画素数）をＰｙｍａｘ、Ｐｘｍａｘとしたとき、縦サイズＢ’ｙ＝（Ｂｙ×ｐｙ）／Ｐｙｍａｘ、横サイズＡ’ｘ＝（Ａｘ×ｐｘ）／Ｐｘｍａｘとして算出することができる（ステップＵ１１）。
【００９０】
制御部２２は、上記ステップＵ１で設定したサイズ値とステップＵ１１で算出したサイズ値をＶＲＡＭコントローラ２３を介してデジタルビデオエンコーダ２５に与えビデオ信号を生成させて表示部２６に出力させ、「設定値＝・・・」、「計測値＝・・・」といったように液晶モニタ画面５に表示されているスルー画像上に重畳表示させる（ステップＵ１２）。
【００９１】
制御部２２は上記ステップＵ１１で取得した被写体像の縦横のサイズと上記ステップＵ１で保持した縦横のサイズ値とを上記ステップＵ１で設定した比較条件により比較し、比較条件に合致している場合にはＬＥＤ３１を緑色点灯させてステップＵ１４に進み、合致していない場合はＬＥＤ３１を赤色点灯させてステップＵ１４に進む（ステップＵ１３）。
【００９２】
ＬＥＤ３１が点灯している場合、制御部２２はシャッターキー８を全押し可能とし、シャッターキー８が全押し操作されたか否かを調べ、シャッターキー８が全押しされた場合はステップＵ１５に進む（ステップＵ１４）。
【００９３】
シャッターキー８が全押しされた場合は、その時点で撮影処理を実行して画像データを取得し、取得した画像データに画像圧縮処理を施すか、あるいは、その時点でＤＲＡＭ２１に取り込まれていた画像データに画像圧縮処理を施した後、この圧縮画像データ（画像ファイル）を記録すると共に条件合致判定結果情報をこの圧縮画像データ関連付けて保存メモリ２８に記録して１枚分の画像データの撮影を終了する。なお、この際、この圧縮画像データに比較条件及びサイズ値を関連付けて保存メモリ２８に記録するようにしてもよい（ステップＵ１５）。
【００９４】
上記図８のフローチャートに示す動作により、デジタルカメラ１は、合焦指示前に計測範囲（つまり、被写体）を取得し、合焦時に被写体サイズを算出して静止画及び設定されたサイズと被写体の実際のサイズを表示し、被写体が所望の大きさであるか否かをＬＥＤを点灯して報知するので、撮影者は撮影指示を出す前に被写体の大きさが所望のものであるか否かを容易に知ることができることから、必要な画像だけを記録でき、不要な画像を記録するようなことがない。従って、デジタルカメラ１は記録媒体の記録領域を有効に利用できる。更に、撮影者は不要な画像を削除する手間がかからない。
【００９５】
また、不要な画像を記録してしまった場合であっても、例えば、図１０のフローチャートに示すように、記録した撮影画像を再生表示する際に、画像データと関連付けて記録されている条件合致判定結果情報を合わせて表示させることにより、ユーザは被写体の大きさが所望のものであるか否かを容易に知ることができるので、画像の削除操作を容易なものとすることができる。
【００９６】
また、事前に撮影対象とする被写体の大きさを設定し、且つ被写体を指定できるので、被写体に直接メジャーをあてたり直接触れたりしなくても離れた位置からカメラで被写体の大きさを判断できる。
【００９７】
＜変形例＞  
上記図８のフローチャートに示す動作では、デジタルカメラ１は合焦時に被写体サイズを算出して被写体が所望の大きさであるか否かを報知する例を示したが、シャッターキー８の全押し後、つまり、撮影指示後に被写体サイズを算出して被写体が所望の大きさであるか否かを報知するようにしてもよい。
【００９８】
図９は、被写体サイズ報知モードにおける撮影時のデジタルカメラ１の動作の一実施例を示すフローチャートであり、ステップＶ１〜ステップＶ８までの動作は図８に示したフローチャートのステップＵ１〜Ｓ８と同様である。
図６で、ステップＶ１〜Ｔ５で、比較条件及びサイズ値の設定、計測範囲の設定、スルー画像の表示、ズーム操作の有無判定及びズーム値取得、シャッターキー８の半押しの検知等の動作後、ステップＶ８での合焦動作及び被写体との距離の算出が終わると、制御部２２は、シャッターキー８が全押し操作されたか否かを調べ、シャッターキー８が全押しされた場合はステップＶ１０に進む（ステップＶ９）。
【００９９】
シャッターキー８が全押しされた場合は、制御部２２は、その時点で本撮影処理を実行して画像データを取得してＤＲＡＭ２１に記憶し（ステップＶ１０）、ＤＲＡＭ２１に記憶された画像データ（ステップＶ６でトリミングされた場合はその対応部分の画像データ）を基に撮影範囲の縦サイズＢｙと横サイズＡｘをステップＶ８で算出した被写体とカメラの距離Ｌと、上記ステップＶ６で取得したズーム値Ｒに基づく画角から算出する。被写体の撮影範囲の縦サイズＢｙと横サイズＡｘの算出方法は公知の方法でよい（ステップＶ１１）。
【０１００】
次に、制御部２２は図８のステップＵ９と同様の動作で撮影範囲のサイズＢｙ、Ａｘを算出し、図８のステップＵ１０と同様の動作で上記ステップＵ４で指定した計測範囲（計測範囲を指定しなかった場合は計測範囲＝画面サイズ）の縦横の最大画素数ｐｙ、ｐｘを取得し（ステップＶ１２）、計測範囲の縦横の寸法（サイズ）Ｂ’ｙ、Ａ’ｘを算出して被写体のサイズとする（ステップＶ１３）。
【０１０１】
制御部２２は、シャッターキー８の全押しによりＤＲＡＭ２１に記憶されている画像データをＶＲＡＭ２４に転送して展開し、ＶＲＡＭコントローラ２３を介してデジタルビデオエンコーダ２５に送り表示部２６に静止画表示させると共に、上記ステップＶ１で設定したサイズ値とステップＶ１３で算出した被写体のサイズ値をＶＲＡＭコントローラ２３を介してデジタルビデオエンコーダ２５に与えビデオ信号を生成させて表示部２６に出力させ、「設定値＝・・・」、「計測値＝・・・」といったように液晶モニタ画面５に表示されている静止画像上に重畳表示させる（ステップＶ１４）。
【０１０２】
次に、制御部２２は上記ステップＶ１３で算出した被写体の縦横のサイズ値と上記ステップＶ１で保持した縦横のサイズ値とを上記ステップＶ１で設定した比較条件により比較し、比較条件に合致している場合にはＬＥＤ３１を緑色点灯させてステップＶ１６に進み、合致していない場合はＬＥＤ３１を赤色点灯させてステップＶ１７に進む（ステップＶ１５）。
【０１０３】
ＬＥＤ３１が緑色点灯された場合は、図５のステップＳ１２と同様の動作でステップＶ１０の撮影処理により得られた画像データを保存メモリ２８に記録して１枚分の画像データの撮影を終了する。なお、この際、この圧縮画像データに比較条件及びサイズ値を関連付けて保存メモリ２８に記録するようにしてもよい（ステップＶ１６）。
【０１０４】
また、ＬＥＤ３１が赤色点灯している場合にシャッターキー８が半押しされた場合は図５のステップＳ１３と同様の動作で合焦位置のロックを解除してステップＶ２に戻り、所定時間経過してもシャッターキー８が半押しされない場合には撮影処理を終了する（ステップＶ１７）。
【０１０５】
上記図９のフローチャートに示す動作により、デジタルカメラ１は撮影指示後に本撮影処理に得られた画像データを用いて被写体サイズを算出して被写体が所望の大きさであるか否かＬＥＤを点灯して報知すると共に画像が所望の大きさである場合だけ画像記録処理を実行するので、デジタルカメラ１は撮影指示後で且つ撮影画像の記録前に被写体の大きさが所望のものであるか否かを容易にすることができ、且つ必要な画像だけを確実に記録できる。
【０１０６】
なお、上記図８のステップＵ４（又は図９のステップＶ４）で始点７１及び終点７３を色表示して計測範囲が撮影者に分かるようにしたが、計測範囲の表示方法はこれに限定されない。例えば、計測範囲を枠線で囲むようにしてもよい。
【０１０７】
また、本実施形態（及び変形例）の説明では、図８のフローチャートのステップＵ９〜Ｕ１１（図９のステップＶ１０〜Ｖ１３）に示すように、撮影範囲のサイズ算出、計測範囲の縦横の最大画素数の取得、及び縦横の撮影範囲のサイズ及び縦横の最大画素数を元にした計測範囲の縦横のサイズの算出という３工程により被写体のサイズを取得したが、被写体サイズの取得方法は前述したように上記の例に限定されない。
【０１０８】
また、上記実施形態１の変形例及び実施形態２の変形例の説明では、図６のステップＴ１４、Ｔ１５及び図９のステップＶ１５、Ｖ１７）に示すようにＬＥＤ３１が赤色点灯したときはシャッターキー８を半押しするとステップＴ２、Ｖ２に戻り、所定時間経ってもシャッター操作がないと撮影処理を終了するようにしたが、ＬＥＤ３１が赤色点灯したときにシャッターキー８を半押しするとステップＴ１４、Ｖ１６に進み、所定時間経ってもシャッター操作がないとステップＴ２、Ｖ２に戻るように構成してもよい。
【０１０９】
図１０はデジタルカメラ１の画像再生時の動作の一実施例を示すフローチャートであり、上記実施例１、２における記録処理（図５のフローチャートのステップＳ１４、図８のフローチャートのステップＵ１５）で、記録した画像データ（画像ファイル）の再生時に、画像と共にサイズデータ及び比較条件に合致しているか否かを示す情報（＝条件合致判定結果情報）を表示するように構成した例を示す。
画像再生モードで、制御部２２は保存メモリ２８記録されている画像データおよびその画像データに関連付けられて記憶されている条件合致判定結果情報）を読出し（ステップＷ１）、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力（＝表示）させる（ステップＷ２）。
【０１１０】
また、制御部２２は上記ステップＷ１で読み出した画像データに関連付けられている条件合致判定結果情報を基に、条件に合致している場合はその旨のメッセージデータを生成し、条件に合致していない場合はその旨のメッセージデータを生成して、ＶＲＡＭコントローラ２３を介してデジタルビデオエンコーダ２５に与えビデオ信号を生成させて表示部２６に出力させ、液晶モニタ画面５に表示されている画像上に重畳表示させる（ステップＷ３）。
【０１１１】
上記実施形態１、２及び各変形例の説明ではデジタルカメラ１がデジタルズーム機能のみを備えている場合を例として説明したが、本発明は光学ズーム機能及びデジタルズーム機能を有するデジタルカメラや光学ズーム機能のみを有するデジタルカメラやズーム機能を備えていないデジタルカメラについても同様に適用できる。
【０１１２】
また、上記実施形態１、２及び各変形例では電子カメラとしてデジタルカメラを例としたが、電子カメラという語は、デジタルカメラのほか、カメラ付き携帯電話機や撮像部を有する情報機器などにも適用し得るものである。
【０１１３】
以上、本発明のいくつかの実施例について説明したが本発明は上記各実施例に限定されるものではない。
【図面の簡単な説明】
【０１１４】
【図１】本発明に係る電子カメラの一例としてのデジタルカメラの一実施例の外観を示す図である。
【図２】デジタルカメラの電子回路構成の一実施例を示す図である。
【図３】被写体サイズ等の条件設定画面の一実施例を示す図である。
【図４】輪郭抽出された被写体像の説明図である。
【図５】実施形態１の被写体サイズ報知モードにおける撮影時のデジタルカメラの動作概要を示すフローチャートである。
【図６】実施形態１の被写体サイズ報知モードにおける撮影時のデジタルカメラの動作の他の実施例を示すフローチャートである。
【図７】計測範囲指定の説明図である。
【図８】実施形態２の被写体サイズ報知モードにおける撮影時のデジタルカメラの動作の一実施例を示すフローチャートである。
【図９】実施形態２の被写体サイズ報知モードにおける撮影時のデジタルカメラの動作の他の実施例を示すフローチャートである。
【図１０】デジタルカメラの画像再生時の動作の一実施例を示すフローチャートである。
【符号の説明】
【０１１５】
１  デジタルカメラ（電子カメラ）
５  カーソルキー（サイズ情報設定手段、計測範囲設定手段）
６  ＳＥＴキー（サイズ情報設定手段、計測範囲設定手段）
７  ズームレバー
１２  レンズ光学系（距離取得手段、画角取得手段、輪郭サイズ取得手段）
２２  制御部（距離取得手段、画角取得手段、サイズ算出手段、輪郭サイズ取得手段、比較手段、報知情報出力手段）
２６  表示部
２８  保存メモリ（画像記録手段）
３１  ＬＥＤ（報知情報出力手段）
３２  輪郭抽出部（輪郭抽出手段）
４０  条件設定画面（サイズ情報設定手段）
５０  撮影画像
５１  被写体の輪郭
７４  矩形（計測範囲）
７５  上下の部分（計測範囲）
【図１】
2006165940.tif 000003
【図２】
2006165940.tif 000004
【図３】
2006165940.tif 000005
【図４】
2006165940.tif 000006
【図５】
2006165940.tif 000007
【図６】
2006165940.tif 000008
【図７】
2006165940.tif 000009
【図８】
2006165940.tif 000010
【図９】
2006165940.tif 000011
【図１０】
2006165940.tif 000012